(57)【要約】【課題】ＨＤＤの共有管理情報とミラーリング情報との比較により正常なＨＤＤであるか否かを適切に判断し、ＨＤＤを安全に管理して動作させるようにした画像処理装置を提供する。【解決手段】各ＨＤＤ２０，５０の一部の記憶領域を、複合機コントローラ１１とＲＡＩＤコントローラ４２との両方がアクセスできる共有管理情報領域とする。ＲＡＩＤコントローラ４２は、ＨＤＤ２０，５０間でのミラーリングを制御するとともに、ＨＤＤ２０，５０を識別し管理するためのミラーリング情報を記憶させる。複合機コントローラ１１は、リアルタイムクロック回路１２から抽出した時刻情報を、各ＨＤＤ２０，５０の共有管理情報領域２３，５３に記憶させ、ＲＡＩＤコントローラ４２は、各共有管理情報領域２３，５３に記憶された時刻情報を、各ＨＤＤ２０，５０のミラーリング情報領域２３，５３にそれぞれコピーする。【選択図】図２０
2013196124.tif 000002
【特許請求の範囲】
【請求項１】
画像処理装置本体の動作を制御する画像処理装置コントローラと、時刻データを発生するリアルタイムクロック回路と、ＲＡＩＤを構成する複数のＨＤＤと、該複数のＨＤＤを制御するＲＡＩＤコントローラとを有し、
各前記ＨＤＤの一部の記憶領域を、前記画像処理装置コントローラと前記ＲＡＩＤコントローラとの両方がアクセスできる共有管理情報領域とし、
前記ＲＡＩＤコントローラは、前記複数のＨＤＤ間でのミラーリングを制御するとともに、各前記ＨＤＤを識別し管理するためのミラーリング情報を各前記ＨＤＤに記憶させ、
前記画像処理装置コントローラは、前記リアルタイムクロック回路から抽出した時刻情報を、各前記ＨＤＤの前記共有管理情報領域に記憶させ、
前記ＲＡＩＤコントローラは、各前記ＨＤＤの前記共有管理情報領域に記憶された時刻情報を、各前記ＨＤＤの前記ミラーリング情報を記憶させる領域にそれぞれコピーすることを特徴とする画像処理装置。
【請求項２】
請求項１に記載の画像処理装置において、
前記ＲＡＩＤコントローラは、前記画像処理装置の起動時に、各前記ＨＤＤの前記ミラーリング情報を記憶させる領域にそれぞれ記憶されている時刻情報と、各前記ＨＤＤの前記共有管理情報領域にそれぞれ記録された前記時刻情報と、の全てを比較し、
該比較した結果に基づいて、該比較の対象となったＨＤＤがＲＡＩＤを構成する上で正常なＨＤＤか否かを判断することを特徴とする画像処理装置。
【請求項３】
請求項２記載の画像処理装置において、
情報を表示する表示パネルを有し、
前記ＲＡＩＤコントローラは、前記全ての時刻情報を比較した結果が、相互に全て一致しなければ、前記比較の対象となった全てのＨＤＤが正常ではないと判断し、
前記画像処理装置コントローラは、前記ＲＡＩＤコントローラの判断に従い、前記表示パネルに警告表示を行い、正常でないと判断した全てのＨＤＤを制御対象から切り離すことを特徴とする画像処理装置。
【請求項４】
請求項２記載の画像処理装置において、
前記ＲＡＩＤコントローラは、前記全ての時刻情報を比較した結果が、相互に全て一致しなければ、前記比較の対象となったＨＤＤをリビルド対象であると判断し、一方のＨＤＤから他のＨＤＤにデータをコピーする強制的なリビルド動作を実行することを特徴とする画像処理装置。
【請求項５】
請求項４に記載の画像処理装置において、
情報を表示する表示パネルを有し、
前記画像処理装置コントローラは、前記強制的なリビルド動作を実行する際、前記表示パネルにリビルド動作中である表示を行い、前記強制的なリビルド動作が完了した後、各前記ＨＤＤの前記共有管理情報領域の時刻情報を更新し、
前記ＲＡＩＤコントローラは、前記更新された各前記ＨＤＤの前記共有管理情報領域の時刻情報を、各前記ＨＤＤの前記ミラーリング情報を記憶させる領域にそれぞれコピーし、前記画像処理装置の起動を正常に実行することを特徴とする画像処理装置。
【請求項６】
請求項２記載の画像処理装置において、
前記ＲＡＩＤコントローラは、前記全ての時刻情報を比較した結果が、相互に全て一致していれば、前記比較の対象となったＨＤＤが正常であると判断し、
前記画像処理装置コントローラは、各前記ＨＤＤの前記共有管理情報領域の時刻情報を、各前記ＨＤＤの前記ミラーリング情報を記憶させる領域にそれぞれコピーし、前記画像処理装置の起動を正常に実行することを特徴とする画像処理装置。
【発明の詳細な説明】
【技術分野】
【０００１】
本発明は、画像出力を行う画像処理装置に関するものであり、例えば、複数の画像処理機能を備えた複合機に適用し得るものである。
【背景技術】
【０００２】
画像処理装置として、コピー機能やプリンタ機能、イメージスキャナ機能、ファックス機能等の複数の画像処理機能を備えた複合機が知られている。
複合機にはデータ保存用にＨＤＤ（Hard disk drive）を備えているものも多い。近年のＨＤＤの大容量化に伴い、複合機のコピー機能を利用してコピーを行ったときの画像データや、ユーザのＰＣ内のファイルを保存するサーバーとしての用途にもＨＤＤが使用されることが多くなっている。そのような中、ＲＡＩＤ（Redundant Arrays of Inexpensive Disks）システムを用いることで、ＨＤＤが故障した場合であってもデータの損失を防ぐことができるため、複合機のＨＤＤにＲＡＩＤシステムが搭載されるようになっている。
【０００３】
ＲＡＩＤシステムでは、ミラーリング機能を持つＲＡＩＤコントローラを搭載することで、ＨＤＤ内のデータをミラーリングすることができる。ミラーリングとは、複数のＨＤＤに対して同じデータを書込むことで、常に同じ情報を持つＨＤＤが複数存在し、万が一つのＨＤＤが故障した場合であっても、他のＨＤＤのデータによって動作を継続することを可能とするものである。複合機等の画像処理装置においても、重要データ等の保全のため、ミラーリングを実行するための機能を取り入れた機種がある。
【０００４】
ＲＡＩＤを構成するために、ＲＡＩＤ制御のためのコントローラ（ＲＡＩＤコントローラとする）が、各々のＨＤＤの一部領域にＨＤＤを識別し管理するための管理情報を記録し、この管理情報に基づいて制御するようしている。そしてＲＡＩＤコントローラは、この管理情報をミラーリングして複数のＨＤＤに記録するようにしている。この管理情報をミラーリング情報とする。
【０００５】
従来の例として、特許文献１に開示された２重化ディスクシステムが知られている。ここでの２重化とは、ミラーリングのことであり、２重化ディスクシステムは、管理情報を記録し、その内容により起動時に各ＨＤＤの状態を把握し、ミラーリング動作を行う。
また、特許文献２に開示された二重化ディスク制御装置が知られている。この二重化とはミラーリングのことであり、二重化ディスク制御装置は、更新時刻を含む管理情報を記録し、その内容により起動時に各ＨＤＤの状態を把握し、ミラーリング動作を行う。
【先行技術文献】
【特許文献】
【０００６】
【特許文献１】特開平３−２５９３４６号公報
【特許文献２】特開２００１−１９５８１８号公報
【発明の概要】
【発明が解決しようとする課題】
【０００７】
しかしながら、特許文献１においては、管理情報が記録されているミラーリング情報には、ＲＡＩＤシステムを構築するための情報のみが記録されており、履歴情報として、ＨＤＤをいつ使用したか等の情報は入っていない。
そのため、例えばミラーリング情報があるＨＤＤを複合機に単体で設置して動作させた後、再びそのＨＤＤを元のＲＡＩＤシステムに戻した場合、ミラーリング情報は書き変わっていないため、見た目にはＲＡＩＤが構築されているように見えるが、単体で動作させたことによって、２つのＨＤＤデータ間に差異が生じるため、場合によっては、複合機が誤動作する可能性がある。
【０００８】
また、特許文献２においては、ミラーリング情報に、管理情報として時刻情報が記録されており、ＲＡＩＤコントローラは、いずれのＨＤＤが古いかの判断は可能であるが、判断及び管理情報を作成及び記録するのは、全てＲＡＩＤコントローラである。
そのため、例えばミラーリング情報があるＨＤＤを、ミラーリング基板を介さず単体で複合機に設置して動作させた後、再びそのＨＤＤを元のＲＡＩＤシステムに戻した場合、単体で設置し動作させた際に、ＲＡＩＤコントローラが介在しないため、管理情報内の時刻情報が更新されていない。その後、元のＲＡＩＤシステムに戻した際、管理情報においては時刻情報が更新されていないが、各ＨＤＤのユーザデータ領域は異なる内容となっている。つまり、見た目にはＲＡＩＤが構築されているように見えるが、単体で動作させたことによって、２つのＨＤＤデータ間に差異が生じるため、場合によっては、複合機が誤動作する可能性がある。
【０００９】
本発明は、上記のごとき実情に鑑みてなされたものであり、ＲＡＩＤコントローラと画像処理装置のコントローラとで共有できる管理情報をＨＤＤに設け、この領域に、ホストコントローラ側の時刻情報を記録し、ＨＤＤのミラーリング情報にコピーしておくようにすることで、共有管理情報とミラーリング情報との比較により正常なＨＤＤであるか否かを適切に判断し、ＨＤＤを安全に管理して動作させるようにした画像処理装置を提供することを目的とするものである。
【課題を解決するための手段】
【００１０】
上記課題を解決するために、本発明に第１の技術手段は、画像処理装置本体の動作を制御する画像処理装置コントローラと、時刻データを発生するリアルタイムクロック回路と、ＲＡＩＤを構成する複数のＨＤＤと、該複数のＨＤＤを制御するＲＡＩＤコントローラとを有し、各前記ＨＤＤの一部の記憶領域を、前記画像処理装置コントローラと前記ＲＡＩＤコントローラとの両方がアクセスできる共有管理情報領域とし、前記ＲＡＩＤコントローラは、前記複数のＨＤＤ間でのミラーリングを制御するとともに、各前記ＨＤＤを識別し管理するためのミラーリング情報を各前記ＨＤＤに記憶させ、前記画像処理装置コントローラは、前記リアルタイムクロック回路から抽出した時刻情報を、各前記ＨＤＤの前記共有管理情報領域に記憶させ、前記ＲＡＩＤコントローラは、各前記ＨＤＤの前記共有管理情報領域に記憶された時刻情報を、各前記ＨＤＤの前記ミラーリング情報を記憶させる領域にそれぞれコピーすることを特徴としたものである。
【００１１】
第２の技術手段は、第１の技術手段において、前記ＲＡＩＤコントローラは、前記画像処理装置の起動時に、各前記ＨＤＤの前記ミラーリング情報を記憶させる領域にそれぞれ記憶されている時刻情報と、各前記ＨＤＤの前記共有管理情報領域にそれぞれ記録された前記時刻情報と、の全てを比較し、該比較した結果に基づいて、該比較の対象となったＨＤＤがＲＡＩＤを構成する上で正常なＨＤＤか否かを判断することを特徴としたものである。
【００１２】
第３の技術手段は、第２の技術手段において、情報を表示する表示パネルを有し、前記ＲＡＩＤコントローラは、前記全ての時刻情報を比較した結果が、相互に全て一致しなければ、前記比較の対象となった全てのＨＤＤが正常ではないと判断し、前記画像処理装置コントローラは、前記ＲＡＩＤコントローラの判断に従い、前記表示パネルに警告表示を行い、正常でないと判断した全てのＨＤＤを制御対象から切り離すことを特徴としたものである。
【００１３】
第４の技術手段は、第２の技術手段において、前記ＲＡＩＤコントローラは、前記全ての時刻情報を比較した結果が、相互に全て一致しなければ、前記比較の対象となったＨＤＤをリビルド対象であると判断し、一方のＨＤＤから他のＨＤＤにデータをコピーする強制的なリビルド動作を実行することを特徴としたものである。
【００１４】
第５の技術手段は、第４の技術手段において、情報を表示する表示パネルを有し、前記画像処理装置コントローラは、前記強制的なリビルド動作を実行する際、前記表示パネルにリビルド動作中である表示を行い、前記強制的なリビルド動作が完了した後、各前記ＨＤＤの前記共有管理情報領域の時刻情報を更新し、前記ＲＡＩＤコントローラは、前記更新された各前記ＨＤＤの前記共有管理情報領域の時刻情報を、各前記ＨＤＤの前記ミラーリング情報を記憶させる領域にそれぞれコピーし、前記画像処理装置の起動を正常に実行することを特徴としたものである。
【００１５】
第６の技術手段は、第２の技術手段において、前記ＲＡＩＤコントローラは、前記全ての時刻情報を比較した結果が、相互に全て一致していれば、前記比較の対象となったＨＤＤが正常であると判断し、前記画像処理装置コントローラは、各前記ＨＤＤの前記共有管理情報領域の時刻情報を、各前記ＨＤＤの前記ミラーリング情報を記憶させる領域にそれぞれコピーし、前記画像処理装置の起動を正常に実行することを特徴としたものである。
【発明の効果】
【００１６】
本発明によれば、ＲＡＩＤコントローラと画像処理装置のコントローラとで共有できる管理情報をＨＤＤに設け、この領域に、ホストコントローラ側の時刻情報を記録し、ＨＤＤのミラーリング情報にコピーしておくようにすることで、共有管理情報とミラーリング情報との比較により正常なＨＤＤであるか否かを適切に判断し、ＨＤＤを安全に管理して動作させるようにした画像処理装置を提供することができる。
【図面の簡単な説明】
【００１７】
【図１】ＲＡＩＤシステムが備えられていない場合の複合機コントローラとＨＤＤの関係を示す図である。
【図２】ＲＡＩＤシステムが備えられた複合機の構成を説明する図である。
【図３】複合機にミラーリングキットを初めて装着するときの例を説明する図である。
【図４】複合機にミラーリングキットを初めて装着するときの例を説明する他の図である。
【図５】複合機にミラーリングキットを初めて装着するときの例を説明する更に他の図である。
【図６】複合機にミラーリングキットを初めて装着するときの例を説明する更に他の図である。
【図７】複合機にミラーリングキットを初めて装着するときの例を説明する更に他の図である。
【図８】ＲＡＩＤシステム構築後にＨＤＤが故障したときのＨＤＤの交換処理について説明する図である。
【図９】ＲＡＩＤシステム構築後にＨＤＤが故障したときのＨＤＤの交換処理について説明する他の図である。
【図１０】ＲＡＩＤシステム構築後にＨＤＤが故障したときのＨＤＤの交換処理について説明する更に他の図である。
【図１１】ＲＡＩＤシステム構築後にＨＤＤが故障したときのＨＤＤの交換処理について説明する更に他の図である。
【図１２】ＲＡＩＤシステム構築後にＨＤＤが故障したときのＨＤＤの交換処理について説明する更に他の図である。
【図１３】ＲＡＩＤシステム構築後にＨＤＤが故障したときのＨＤＤの交換処理について説明する更に他の図である。
【図１４】他機種での使用履歴があるミラーリングキットを新たに複合機に装着した状態を示す図である。
【図１５】他機種での使用履歴があるミラーリングキットを新たに複合機に装着した状態を示す他の図である。
【図１６】他機種での使用履歴があるミラーリングキットを新たに複合機に装着した状態を示す更に他の図である。
【図１７】他機種での使用履歴があるミラーリングキットを新たに複合機に装着した状態を示す更に他の図である。
【図１８】ＨＤＤが故障した場合に、装着履歴のあるＨＤＤを使用するときの状態を示す図である。
【図１９】ＨＤＤが故障した場合に、装着履歴のあるＨＤＤを使用するときの状態を示す他の図である。
【図２０】本発明の実施形態におけるＲＡＩＤシステムの構成を説明する図である。
【図２１】本発明による画像処理装置の処理例を説明するためのフローチャートである。
【図２２】本発明による画像処理装置の処理例を説明するためのフローチャートで、図２１に続く図である。
【図２３】強制リビルド設定がＯＦＦであり、ＨＤＤの時刻情報が一致しないときの表示パネルの表示例を示す図である。
【発明を実施するための形態】
【００１８】
本発明に係る画像処理装置の実施形態は、コピー機能、プリンタ機能、ファクシミリ機能、等の複数の画像処理機能を備えた複合機として実施できる。以下、複合機を例として説明するが、本発明に係る画像処理装置は、複写機、プリンタ、ファクシミリ装置などの特定の画像処理機能を有する装置として構成することもできる。
【００１９】
複合機は、ＲＡＩＤを制御するＲＡＩＤコントローラを備え、そのＲＡＩＤコントローラが、２つ以上のＨＤＤを制御し、ミラーリングする機能を備えている。そしてＨＤＤの一部の記録領域を、複合機本体を制御するコントローラ（複合機コントローラとする）と、ＲＡＩＤを制御するＲＡＩＤコントローラとの両方がアクセスできる領域とし、その領域に両コントローラの共有管理情報として、ＲＴＣ（Real Time Clock）から抽出した時刻情報を保存する。これにより、ＲＡＩＤコントローラと、複合機コントローラとの両方が情報を共有できる。この共有管理情報を用いて、ＨＤＤの使用履歴を適切に把握して、ＨＤＤを安全に管理して動作させるようにする。
【００２０】
［ＲＡＩＤの概念］
ここでまず、ＲＡＩＤの概念について説明する。
図１は、ＲＡＩＤシステムが備えられていない場合の複合機コントローラとＨＤＤの関係を説明する図である。図１において、１０は複合機に備えられたコントローラ基板、１１はコントローラ基板１０上に設けられた複合機コントローラ、２０は複合機の本体に設置されているＨＤＤである。
複合機コントローラ１１は、複合機本体を制御するコントローラであり、コントローラ基板１０上に形成されたＣＰＵ，ＲＯＭ，ＲＡＭ等を有し、ＲＯＭに記憶されたプログラムを実行して複合機の画像処理等の各種動作を制御している。複合機は、コピー機能、プリンタ機能、スキャナ機能、ファクシミリ機能、画像送受信機能、などの画像処理機能を実行する画像処理手段を有し、各種情報を表示する表示手段である表示パネルを備えている。複合機コントローラ１１は、画像処理装置本体の動作を制御する本発明の画像処理装置コントローラに該当する。
【００２１】
図１に示すように、ＲＡＩＤシステムのない複合機においては、複合機コントローラ１１は、１つのＨＤＤ２０に対しデータの読み書きを行う。つまり複合機コントローラ１１から、直接１台のＨＤＤ２０にアクセスする。この場合、ＨＤＤ２０が故障すると、そのＨＤＤ２０は複合機コントローラ１１と通信することができず、複合機コントローラ１１が動作を制御する複合機の運転が停止し、場合によってはＨＤＤ２０に記憶しているユーザデータが損失する可能性がある。
【００２２】
図２は、ＲＡＩＤシステムが備えられた複合機の構成を説明する図である。
ＲＡＩＤシステムは、ＲＡＩＤコントローラ４２を搭載したミラーリング基板４１、及びＨＤＤ５０で構成される。これらＲＡＩＤコントローラ４２を搭載したミラーリング基板４１とＨＤＤ５０との構成をミラーリングキット３０と呼ぶ。以下、複合機本体に備えられていたＨＤＤ２０を本体側のＨＤＤとし、ミラーリングキット３０に含まれるＨＤＤ５０をミラーリングキット側のＨＤＤとする。
【００２３】
ミラーリングキット３０を備えることにより、複合機コントローラ１１は、ミラーリング基板４１上のＲＡＩＤコントローラ４２を介して２つのＨＤＤ２０，５０にアクセスすることができる。また、両方のＨＤＤ２０，５０に、両方のＨＤＤを識別し管理するためのミラーリング情報が書き込まれる。ミラーリング情報は、それぞれのＨＤＤ２０，５０に同時に書き込まれる。これにより１つのＨＤＤに障害が発生しても、もう１方のＨＤＤの情報を使用することができ、１台のＨＤＤが故障してもデータの損失は生じない。
【００２４】
次に、ミラーリング情報について説明する。ミラーリング情報は、複合機にミラーリングキット３０を新設した際、その装着後に複合機の電源をＯＮしたタイミングで、ＨＤＤを識別し管理するために両方のＨＤＤ２０，５０に書き込まれる情報である。このミラーリング情報が一旦書き込まれると、以降、ＲＡＩＤコントローラ４２は、このミラーリング情報をもとにＲＡＩＤの制御を行う。ミラーリング情報は、非常に重要な情報であるため、複合機コントローラ１１からは直接アクセスできないような領域に記憶することが望ましい。
【００２５】
［設置例］
図３〜図７は、複合機にミラーリングキットを初めて装着するときの例を説明する図である。この構成は、本発明の特徴である共有管理情報領域を設けない場合の一般的な動作を説明するものである。
図３は、ミラーリングキットの装着前の複合機の状態を示す図で、複合機の本体側のＨＤＤ２０では、ユーザデータを記憶すべきユーザデータ領域２１と、ミラーリング情報を記憶すべきミラーリング情報領域２２とがあるが、ミラーリング情報領域２２には、ミラーリング情報が存在しない。
【００２６】
図４では、複合機に新たにミラーリングキットを装着した様子を示す。複合機本体側のＨＤＤ２０では、上記のようにこの時点でミラーリング情報領域２２には、ミラーリング情報は存在しない。また、ミラーリングキット側のＨＤＤ５０にも、ユーザデータを記憶すべきユーザデータ領域５１とミラーリング情報領域５２があるが、ミラーリング情報領域５２にはミラーリング情報が存在しない。
【００２７】
ここで複合機の電源を起動すると、図５に示すように、ＲＡＩＤコントローラ４２は、両方のＨＤＤ２０，５０のミラーリング情報領域２２，５２にミラーリング情報が存在しないため、各ＨＤＤ２０，５０にミラーリング情報を書き込む。
その後、図６に示すように、ＲＡＩＤコントローラ４２は、複合機本体側のＨＤＤ２０からミラーリングキット側のＨＤＤ５０に対して、全ユーザデータをコピーし、ＨＤＤ５０のユーザデータ領域５１に記憶させる。これをリビルドという。そして一定時間経過後、全てのユーザデータがコピーされると、図７に示すように、２つのＨＤＤ２０，５０のユーザデータは完全に同じ内容になる。
【００２８】
［交換例］
次に、上記図７に示すようなＲＡＩＤシステム構築後にＨＤＤが故障したときのＨＤＤの交換処理について、図８を参照して説明する。図８において、ＨＤＤ２０，５０のいずれかが故障した場合、ＲＡＩＤコントローラ４２がその故障を検知し、複合機コントローラ１１に通知する。ここでは、ミラーリングキット３０側のＨＤＤ５０が故障したものとする。故障の通知を受けた複合機コントローラ１１は、複合機の表示パネル等に一台のＨＤＤ５０が故障したことを表示し、ユーザにＨＤＤ５０の交換等を促す。
【００２９】
図９は、複合機から故障したＨＤＤ５０を取り外した状態を示す。そして図１０は、新品のＨＤＤ５０´をミラーリングキットに設置した状態を示す。
新品のＨＤＤ５０´は、当然にそのミラーリング情報領域５２にはミラーリング情報が存在しない。その後、複合機の電源を起動すると、図１１に示すように、ＲＡＩＤコントローラ４２は、ミラーリングキット３０に設置した新品のＨＤＤ５０´のミラーリング情報領域５２にミラーリング情報を書き込む。
【００３０】
そして、その後、図１２に示すように、ＲＡＩＤコントローラ４２は、複合機本体側のＨＤＤ２０からミラーリングキット３０側のＨＤＤ５０´に対してリビルドを開始する。そして一定時間経過後、全てのユーザデータが本体側のＨＤＤ２０から新品のＨＤＤ５０´にコピーされると、図１３に示すように、２つのＨＤＤ２０，５０´のユーザデータ領域２１，５１は完全に同じ内容になり、この状態でＲＡＩＤシステムが完全に復旧したことになる。
【００３１】
［禁止事項］
次に、ＨＤＤの設置時及び交換時における禁止事項について、２点説明する。  
１点目として、ミラーリングキット３０が未装着である複合機に他機種での使用履歴がある中古のミラーリングキット３０を装着してはいけない。この内容を図１４〜図１７により説明する。ここでも本発明に係る共有管理情報領域を有しない場合の一般的な状態を例として説明する。
【００３２】
図１４は、ミラーリングキットを未装着の複合機（例えば図３に示す状態の複合機）に対して、他機種での使用履歴がある中古のミラーリングキット３０を新たに装着した状態を示している。複合機本体側のＨＤＤ２０のユーザデータ領域２１にはユーザデータが書き込まれているが、そのミラーリング情報領域２２にはミラーリング情報が存在しない。そして新たに装着された中古のミラーリングキット３０では、ＨＤＤ５０のミラーリング情報領域５２に過去に他機種の複合機にて書き込まれたミラーリング情報が存在している。また、ユーザデータ領域５１には、データが存在しないか、もしくは複合機本体側のユーザデータとは異なるデータが存在している。
【００３３】
この状態で複合機の電源を起動すると、図１５に示すように、ＲＡＩＤコントローラ４２は、複合機本体側のＨＤＤ２０にミラーリング情報が存在しないため、複合機本体側のＨＤＤ５０のミラーリング情報領域２２にミラーリング情報を書き込む。そして図１６に示すように、ＲＡＩＤコントローラ４２は、ミラーリングキット３０側のＨＤＤ５０から、複合機本体側のＨＤＤ２０に対してリビルド動作を始める。これは、ミラーリング情報が存在するミラーリングキット３０側のＨＤＤ５０をコピー元としてＲＡＩＤコントローラ４２が動作するためである。この結果、図１７に示すように、ミラーリングキット３０側のＨＤＤ５０のユーザデータが、複合機本体側のＨＤＤ２０に上書きされ、複合機本体側のＨＤＤ２０に元々書き込まれていたユーザデータが消去されてしまう。
【００３４】
ＨＤＤの設置時及び交換時における禁止事項の２点目として、ミラーリングキット３０が装着済みの複合機において、ＨＤＤが故障した場合に、ミラーリングキット３０に装着履歴のあるＨＤＤを使用してはいけない。この内容を図１８〜図１９を参照して説明する。ここでも本発明に係る共有管理情報領域を有しない場合の一般的な状態を例として説明する。
【００３５】
複合機に装着されたミラーリングキット３０側のＨＤＤ５０、または複合機本体側のＨＤＤ２０の一方で故障が発生した場合（例えば図８〜図９）、その故障したＨＤＤを取り外して新たなＨＤＤに交換する。ここでは、ミラーリングキット３０側のＨＤＤ５０が故障したものとする。図１８に示すように、故障したミラーリングキット３０側のＨＤＤ５０に代えて新たなＨＤＤ５０´に交換する場合、その交換したＨＤＤ５０´が、他の機種の複合機における使用履歴がある中古のＨＤＤであったものとする。
【００３６】
この場合、中古のＨＤＤ５０´には既に前の機種の複合機で記録されたミラーリング情報が存在している。一方、複合機本体側のＨＤＤ２０にもミラーリング情報が存在している。これら２つのＨＤＤのミラーリング情報は相互に一致していない。
【００３７】
図１９において、中古のＨＤＤ５０´に交換した複合機を起動しようとした際、ＲＡＩＤコントローラ４２は、２つのＨＤＤ５０´，２０からそれぞれミラーリング情報を読み出して識別を行うが、両者のミラーリング情報が異なっているため識別困難となってしまい、複合機を起動することができなくなる。このときユーザは、何故起動できなくなっているかが分からない。従って他の機種の複合機で使用履歴があるＨＤＤを使用してはいけない。
【００３８】
［本発明の構成］
図２０は、本発明の実施形態におけるＲＡＩＤシステムの構成を説明する図である。図２０（Ａ）に示すように、本発明に係る実施形態に適用されるＲＡＩＤシステムは、ＲＡＩＤコントローラ４２を搭載したミラーリング基板４１、及びＨＤＤ５０で構成される。これらＲＡＩＤコントローラ４２を搭載したミラーリング基板４１とＨＤＤ５０とによってミラーリングキット３０が構成される。
【００３９】
複合機コントローラ１１は、コントローラ基板１０上に搭載されており、ミラーリング基板４１上のＲＡＩＤコントローラ４２を介して２つのＨＤＤ２０，５０にアクセスする。また、両方のＨＤＤ２０，５０のミラーリング情報領域２２，５２に、ＨＤＤを識別し管理するためのミラーリング情報が書き込まれる。ミラーリング情報により１つのＨＤＤに障害が発生しても、もう１方のＨＤＤの情報を使用することができ、１台のＨＤＤが故障してもデータの損失は生じない。
【００４０】
また、コントローラ基板１０は、リアルタイムクロック回路（ＲＴＣ：Real Time Clock）１２を搭載している。ＲＴＣ１２は、複合機の主電源をＯＦＦしても、バックアップ電源で常に時計機能を維持することができる。また複合機コントローラ１１は、ＲＴＣ１２にアクセスすることにより、時刻情報を得ることができる。
【００４１】
本発明に係る実施形態では、ＨＤＤ２０，５０の一部の記憶領域を、複合機コントローラ１１とＲＡＩＤコントローラ４２との両方がアクセスできる共有管理情報領域２３，５３とし、その共有管理情報領域２３，５３には、複合機コントローラ１１がＲＴＣ１２から取得した時刻情報を記憶させる。
ここで、共有管理情報領域２３，５３には、ＲＴＣ１２から取得した時刻情報以外の情報を記録してもよいが、ここでは、時刻情報に特化して説明を行う。
【００４２】
［時刻情報が一致した場合］
複合機の起動時に、ＲＡＩＤコントローラ４２は、それぞれのＨＤＤ２０，５０のミラーリング情報領域２２，５２の時刻情報と、共有管理情報領域２３，５３の時刻情報とを比較して、その内容が一致しているかどうかを判別する。
このとき、ミラーリングキット３０側のＨＤＤ５０のミラーリング情報領域５２に記録されている時刻情報と、そのＨＤＤ５０の共有管理情報領域５３に記憶されている時刻情報と、本体側のミラーリング情報領域２２に記録されている時刻情報と、そのＨＤＤ２０の共有管理情報領域２３に記憶されている時刻情報との４つの時刻情報を比較する。
【００４３】
そして、これらの時刻情報が全て相互に一致していれば、複合機コントローラ１１は、共有管理情報領域２３，５３の時刻情報をＲＴＣ１２から取得した時刻情報を使用して更新する。そして、ＲＡＩＤコントローラ４２は、共有管理情報領域２３，５３に記憶された時刻情報を、ミラーリング情報を記憶させるミラーリング情報領域２２，５２にそれぞれコピーし、ミラーリング情報領域２２，５２の時刻情報を更新して、複合機の起動を正常に実行する。
【００４４】
［時刻情報が不一致の場合］
上記と同様に、複合機の起動時に、ＲＡＩＤコントローラ４２は、それぞれのＨＤＤ２０，５０のミラーリング情報領域２２，５２の時刻情報と、共有管理情報領域２３，５３の時刻情報とを比較して、その内容が一致しているかどうかを判別する。ここで、ＨＤＤ２０，５０のミラーリング情報領域２２，５２の時刻情報と、共有管理情報領域２３，５３の時刻情報との内容が一つでも一致しない場合、過去に他の機種で使用、または複合機に単体で設置された履歴をもつＨＤＤが存在するものと判断される。
【００４５】
従ってこのような場合には、ＨＤＤが正常ではなく、ＲＡＩＤを構成する上で適切でないことを警告するメッセージを複合機の表示パネルに表示し、時刻情報の比較の対象となった全てのＨＤＤを制御対象から切り離す。このメッセージでは複合機の電源を切ることを要求し、ＨＤＤのミラーリング情報を消去するか、あるいはフォーマットし直すことを要求することができる。これにより、ＨＤＤの状態をユーザに通知してその対処を要求するとともに、複合機の不具合等を防ぐことができる。
【００４６】
また、ＨＤＤ２０，５０のミラーリング情報領域２２，５２の時刻情報と、共有管理情報領域２３，５３の時刻情報との内容が一致しない場合のもう１つの手段として、強制的にリビルドを行うようにすることができる。リビルドを行うことで、複合機が使用できなくなる状態を回避することができる。
この場合、複合機コントローラ１１は、リビルドが完了した後、各ＨＤＤ２０，５０の共有管理情報領域２３，５３にＲＴＣ１２から取得した時刻情報をコピーする。そして、ＲＡＩＤコントローラ４２は、共有管理情報領域２３，５３の時刻情報を、それぞれミラーリング情報領域２２，５２にコピーし、複合機を正常に起動させる。
上記のようにリビルドを行うか、あるいは時刻情報が一致しないＨＤＤを制御対象から切り離すかは、ＲＡＩＤコントローラ４２の設定により、選択可能とすることができる。
【００４７】
［単品ＨＤＤの扱い］
ここで、複合機コントローラ１１が、ＲＡＩＤコントローラ４２を介することなく単品のＨＤＤを接続する場合の動作について説明する。ここでの単品のＨＤＤは、過去にＲＡＩＤ化された形跡がある（ミラーリング情報が有る）ＨＤＤを含むものとする。
複合機の電源起動時に、複合機コントローラ１１は、ＲＡＩＤコントローラ４２が接続されているかどうかを判断する。このときの判断手法としては、ＲＡＩＤコントローラ４２を搭載するミラーリング基板４１からの接続アサート信号を用いる方法等を適用することができる。
【００４８】
ＲＡＩＤコントローラ４２が接続されてないと判断された場合、複合機コントローラ１１は、単体のＨＤＤの共有管理情報領域に、ＲＴＣ１２から抽出した時刻情報を強制的に上書きする。
この手段により、過去にＲＡＩＤ化された形跡があるＨＤＤが単品ＨＤＤとして複合機に接続された場合、強制的に共有管理情報領域の時刻情報が書き変わるため、もし過去にＲＡＩＤ化を行った元のＲＡＩＤシステムにそのＨＤＤを接続して起動したとしても、そこでは時刻情報が不一致として判断されるため、その元のＲＡＩＤシステムの誤動作を防ぐことができる。
【００４９】
［未使用のＨＤＤの扱い］
未使用のＨＤＤを含むミラーリングキット３０が装着されている場合、未使用のＨＤＤ５０のミラーリング情報領域５２には、ミラーリング情報がない。この場合、共有管理情報領域５３にも時刻情報は無い。このため複合機コントローラ１１は、リビルドが完了した後、共有管理情報領域５３にＲＴＣ１２から取得した時刻情報をコピーする。そしてＲＡＩＤコントローラ４２は、共有管理情報領域５３の時刻情報をミラーリング情報領域５２にコピーし、複合機を正常に起動させる。
【００５０】
ＨＤＤ５０のミラーリング情報領域５２にミラーリング情報がない場合は、そのＨＤＤ５０が新品かもしくはＲＡＩＤシステムとして初めて使用されることを示している。この場合には、ＨＤＤが不適切であると判断されることなく、正常に複合機を起動させることができる。この処理は、本体側のＨＤＤ２０についても同様とする。
【００５１】
図２０（Ｂ）に、各ＨＤＤの共有管理情報領域に記憶させる管理情報の構成を示す。各ＨＤＤ２０，５０の共有管理情報領域２３，５３に記憶させる管理情報は、複合機コントローラ１１がＲＴＣ１２から抽出した時刻情報、複合機コントローラ１１からの書き込み完了フラグ、ＲＡＩＤコントローラ４２からの比較完了フラグ、及びＲＡＩＤコントローラ４２の比較結果である。
【００５２】
時刻情報は、複合機コントローラ１１がＲＴＣ１２から抽出した時刻であり、例えばｙｙｙｙ年ｘｘ月ｘｘ日ｘｘ時ｘｘ分ｘｘ秒など、「年」、「月」、「日」、「時」、「分」、「秒」のデータである。
複合機コントローラ１１からの書き込み済みフラグとしては、例えば、複合機コントローラ１１による時刻情報の書き込み前は０、書き込み後は１のフラグを記録する。
また、ＲＡＩＤコントローラ４２からの比較完了フラグとしては、例えば、ＲＡＩＤコントローラ４２による比較が完了する前は０、比較完了後は１のフラグを記録する。
【００５３】
ＲＡＩＤコントローラ４２の比較結果は、ＲＡＩＤコントローラ４２が、それぞれのＨＤＤ２０，５０のミラーリング情報領域２２，５２の時刻情報と、それぞれの共有管理情報領域２３，５３の時刻情報とを比較して、その内容が全て一致しているかどうかを判別した結果を示す情報である。以下に一例を示す。
【００５４】
ミラーリング情報領域２２，５２の時刻情報と、それぞれの共有管理情報領域２３，５３の時刻情報とが全て一致している場合には、正常とする。
一方、ミラーリング情報領域２２，５２の時刻情報と、それぞれの共有管理情報領域２３，５３の時刻情報との時刻情報が不一致であり、ＲＡＩＤコントローラ４２にて強制リビルドの設定がＯＮとなっている場合は、不正＿リビルドとする。
あるいはミラーリング情報領域２２，５２の時刻情報と、それぞれの共有管理情報領域２３，５３の時刻情報との時刻情報に不一致があり、ＲＡＩＤコントローラにて強制リビルドの設定がＯＦＦとなっている場合は、不正とする。
さらに新品のＨＤＤが接続されていると判断された場合は、新品とする。
【００５５】
図２０（Ｃ）に、各ＨＤＤのミラーリング情報領域に記憶させるミラーリング情報の構成を示す。ミラーリング情報は、ＲＡＩＤ識別情報、及び時刻情報からなっている。ＲＡＩＤ識別情報は、ＲＡＩＤによりＨＤＤを識別して管理するための情報である。また、時刻情報は、複合機コントローラ１１がＲＴＣ１２から取得し、ＨＤＤ２０，５０の共有管理情報領域２３，５３に記憶させた時刻情報を、ＲＡＩＤコントローラ４２がミラーリング情報領域２２，５２にコピーしたものである。
【００５６】
［フローチャート］
図２１〜図２２は、本発明による画像処理装置の処理例を説明するためのフローチャートで、画像処理装置の実施形態である複合機によって実施されるフローを示すものである。
まず複合機コントローラ１１によって複合機の電源がＯＮにされると（ステップＳ１００）、複合機コントローラ１１は、まずＲＡＩＤコントローラ４２が接続されているかどうかを判断する（ステップＳ１０１）。判断手法としては、ＲＡＩＤコントローラ４２を搭載するミラーリング基板４１からの接続アサート信号を用いる方法等を適用することができる。
【００５７】
《ケース１》
ＲＡＩＤコントローラ４２が接続されていない場合（ステップＳ１０２−Ｎｏ）、複合機コントローラ１１は、ＨＤＤ２０の共有管理情報領域２３に、ＲＴＣ１２から抽出した時刻情報をコピーする（ステップＳ１１６）。そしてその後、正常動作状態となって（ステップＳ１１７）、処理を終了する。
【００５８】
上記のようなシステムを搭載することによって、過去にミラーリングキットに接続され、そのときにミラーリング情報が記録されたＨＤＤ２０の単体を他の複合機に接続して動作させた後、そのＨＤＤ２０を取り外して例えば元のミラーリングキットに再装着して起動した場合には、ＨＤＤ２０の共有管理情報領域２３に記憶した時刻情報と、複合機本体側にすでに設けられているＨＤＤの時刻情報とが一致せずに不正と判断されるため、その複合機の誤動作を防ぐことができる。
【００５９】
《ケース２》
ステップＳ１０２で、ＲＡＩＤコントローラ４２が接続されていると判断された場合は、ＲＡＩＤコントローラ４２は、接続されているＨＤＤ２０，５０のミラーリング情報領域２３，５３のミラーリング情報を確認する（ステップＳ１０３）。そして、両方のＨＤＤ２０，５０にミラーリング情報があると判断した場合には（ステップＳ１０４−Ｙｅｓ）、ＲＡＩＤコントローラ４２は、各ＨＤＤ２０，５０の共有管理情報領域２２，５２の時刻情報とミラーリング情報領域２３，５３の時刻情報を比較する（ステップＳ１０５）。
【００６０】
この場合、ＲＡＩＤコントローラ４２は、ミラーリングキット３０側のＨＤＤ５０のミラーリング情報領域５２に記録されている時刻情報と、そのＨＤＤ５０の共有管理情報領域５３に記憶されている時刻情報と、本体側のＨＤＤ２０のミラーリング情報領域２２に記録されている時刻情報と、そのＨＤＤ２０の共有管理情報領域２３に記憶されている時刻情報との４つの時刻情報を比較する。これら４つの全ての時刻情報一致したときに、比較結果が一致したものと判断する。
【００６１】
例えば、比較処理の例としては、（１）本体側のＨＤＤ２０のミラーリング情報領域２２と、本体側のＨＤＤ２０の共有管理情報領域２３とで、時刻情報を比較する。（２）次にミラーリングキット側のＨＤＤ５０の共有管理情報領域５３と、ミラーリングキット側のＨＤＤ５０のミラーリング情報領域５２とで、時刻情報を比較する。（３）そして、本体側のＨＤＤ２０のミラーリング情報領域２２と、ミラーリングキット側のＨＤＤ５０のミラーリング情報領域５２とで、時刻情報を比較する処理を行うことができる。そして、上記（１）〜（３）で全て時刻情報が一致すれば、比較結果が一致したものと判断し、一つでも異なる時刻情報がれば、比較結果は不一致と判断する。
【００６２】
そして、上記の時刻情報の比較結果が一致と判断された場合は（ステップＳ１０６−Ｙｅｓ）、ＲＡＩＤコントローラ４２は、共有管理情報領域２３，５３に記録される比較結果を  “正常”として、比較完了フラグを１にする（ステップＳ１０７）。
そして複合機コントローラ１１は、比較完了フラグが１になっていることを確認し、共有管理情報領域２３，５３に記録された比較結果を確認し、比較完了フラグを０にする（ステップＳ１０８）。そして、複合機コントローラ１１は、共有管理情報領域２３，５３にＲＴＣ１２から抽出した時刻情報をコピーして、書込み完了フラグを１にする（ステップＳ１０９）。
次いでＲＡＩＤコントローラ４２は、書込み完了フラグが１になっていることを確認後、共有管理情報領域２３，５３の時刻情報をミラーリング情報領域２２，５２にコピーし（ステップＳ１１０）、書込み完了フラグを０にする。そしてその後正常動作状態となる（ステップＳ１１１）。
【００６３】
上記のようなシステムを搭載することによって、起動毎に、各ＨＤＤ内の各共有管理情報領域２２，５３とミラーリング情報領域２２，５２の時刻情報が更新され、以降、不正なＨＤＤの組み合わせを構成した際に、それぞれの時刻情報が相互に不一致となるため不正と判断することができ、複合機の誤動作を防ぐことができる。
【００６４】
《ケース３》
ステップＳ１０４にて、いずれかのＨＤＤ２０，５０のいずれかにミラーリング情報がないと判断した場合には、ＲＡＩＤコントローラ４２は、ミラーリング情報を作成し、リビルドを開始する（ステップＳ１１２）。
ＲＡＩＤコントローラ４２は、共有管理情報領域２３，５３の比較結果を“新品”として、比較完了フラグを１にする（ステップＳ１１３）。そして複合機コントローラ１１は、比較完了フラグが１になっていることを確認し、共有管理情報領域２３，５３の比較結果を確認し、比較完了フラグを０にする（ステップＳ１１４）。
【００６５】
リビルドは、ミラーリング情報がないと判断したＨＤＤにミラーリング情報を書き込み、そのミラーリング情報を書き込んだＨＤＤに対してもう一方のＨＤＤから全ユーザデータをコピーし、そのユーザデータ領域に記憶させる。その後、リビルドが完全に完了すると（ステップＳ１１５−Ｙｅｓ）、複合機コントローラ１１は、各ＨＤＤ２０，５０の共有管理情報領域２３，５３にＲＴＣ１２から抽出した時刻情報をコピーし、書込み完了フラグを１にする（ステップＳ１０９）。
次にＲＡＩＤコントローラ４２は、書込み完了フラグが１になっていることを確認後、共有管理情報領域２３，５３の時刻情報をミラーリング情報領域２２，５２にそれぞれコピーし（ステップＳ１１０）、その後正常動作状態となる（ステップＳ１１１）。
【００６６】
上記のようなシステムを搭載することによって、新品のＨＤＤの場合には不正と取り扱うことなく正常に起動することができる。また、このときにＨＤＤ内の時刻情報が更新されるため、以降、不正なＨＤＤの組み合わせを構成した際に、不正と判断することができ、複合機の誤動作を防ぐことができる。
【００６７】
《ケース４》
ステップＳ１０６にて、時刻情報の比較結果が不一致と判断された場合は、ＲＡＩＤコントローラ４２は、強制リビルド設定がＯＮになっているかどうか確認する（ステップＳ１１８）。
ここで強制リビルド設定がＯＮとなっている場合、ＲＡＩＤコントローラ４２は、リビルドを開始する（ステップＳ１１９）。
ＲＡＩＤコントローラ４２は、共有管理情報領域２３，５３の比較結果を“不正＿リビルド”として、比較完了フラグを１にする（ステップＳ１２０）。そして複合機コントローラ１１は、比較完了フラグが１になっていることを確認し、共有管理情報領域２３，５３の比較結果を確認し、比較完了フラグを０にする（ステップＳ１２１）。
【００６８】
ここでは、時刻情報が一致していないときに強制リビルドを実施する。強制リビルドでは、ユーザデータのコピー元は、ＨＤＤ２０，５０のうちのいずれか一方を予め固定で定めておく。この場合、ＲＡＩＤコントローラ４２では、時刻情報が一致しないＨＤＤ２０，５０のうち、いずれがマスターかを判別できないためである。
この場合、必要なユーザデータが上書きされてしまうケースも生じる可能性があるが、実際の使用シーンでは、ＨＤＤを交換する前にバックアップを行い、リビルドが完了後にリストアするため、上記の場合でもユーザデータの復元は可能となる。この強制リビルドは、時刻情報が一致せずに不正と判断することで、複合機が動作できなくなって使用不可能となる状態を回避するための手段となる。
【００６９】
リビルドが完全に完了すると、複合機コントローラ１１は、共有管理情報領域２３，５３にＲＴＣ１２から抽出した時刻情報をコピーし、書込み完了フラグを１にする（ステップＳ１０９）。ＲＡＩＤコントローラ４２は、書込み完了フラグが１になっていることを確認後、共有管理情報領域２３，５３の時刻情報をミラーリング情報領域２２，５２にコピーし（ステップＳ１１０）、その後正常動作状態となる（ステップＳ１１１）。
【００７０】
使用履歴のあるＨＤＤをミラーリングキットに装着した場合、装着したＨＤＤにおける共有管理情報内の時刻情報が、各々のＨＤＤ間で異なるか、もしくは、ミラーリング情報内の時刻情報と異なるため、そのままでは、マシンが不具合を起こす可能性が生じる。そのため上記のようなシステムを搭載することによって、強制的にリビルドを行うことで、不正なＨＤＤを正常化し、以降の複合機の使用において、複合機を支障なく動作させることが可能となる。
【００７１】
《ケース５》
ステップＳ１１８にて、強制リビルド設定がＯＦＦとなっている場合、ＲＡＩＤコントローラ４２は、共有管理情報領域２３，５３の比較結果を“不正”として、比較完了フラグを１にする（ステップＳ１２３）。そして複合機コントローラ１１は、比較完了フラグが１になっていることを確認し、共有管理情報領域２３，５３の比較結果を確認し、比較完了フラグを０にする（ステップＳ１２４）。さらに複合機コントローラ１１は、使用中のＨＤＤが不正である可能性がある旨を表示パネルに表示させ、ユーザに確認を促し（ステップＳ１２５）、複合機を停止させる（ステップＳ１２６）。
【００７２】
ここでの停止とは、複合機として使用できない状態にすることを意味するものであり、ＲＡＩＤコントローラ４２は、ＨＤＤを制御対象から切り離して使用できないようにする。この場合、ＲＡＩＤコントローラ４２は、時刻情報の不一致のみではいずれのＨＤＤが不正なＨＤＤであるかを判断できないため、時刻情報の比較の対象となった全てのＨＤＤを制御対象から切り離して使用できないようにする。
これにより、不適切なＨＤＤが設置された際に、ユーザに対してフォーマット等の喚起を行うことができ、かつマシンの不具合等を防ぐことができる。
【００７３】
図２３は、強制リビルド設定がＯＦＦであり、ＨＤＤの時刻情報が一致しないときの表示パネルの表示例を示す図である。複合機１００は、表示パネル１０１を備えている。この場合、表示パネル１０１には、警告表示が表示される。警告表示では、ユーザに電源を切るよう要求し、接続したＨＤＤが過去に使用したものであることを通知し、ＨＤＤのミラーリング情報を消去するか、ＨＤＤを再フォーマットすることを要求することができる。
【００７４】
上記のようなシステムを搭載することによって、使用履歴のあるＨＤＤを装着した場合、装着したＨＤＤにおける共有管理情報内の時刻情報が各々のＨＤＤ間で異なるか、もしくは、ミラーリング情報内の時刻情報と異なるため、ユーザに別のＨＤＤを接続するよう喚起する。そしてＲＡＩＤコントローラ４２は、ＨＤＤを切り離す。
これにより、共有管理情報とミラーリング情報との比較により正常なＨＤＤであるか否かを適切に判断し、ＨＤＤを安全に管理して動作させるようにした画像処理装置を提供することができる。
【符号の説明】
【００７５】
１０…コントローラ基板、１１…複合機コントローラ、１２…リアルタイムクロック回路（ＲＴＣ）、２０，５０…ＨＤＤ、２１…ユーザデータ領域、２２…ミラーリング情報領域、２３…共有管理情報領域、３０…ミラーリングキット、４１…ミラーリング基板、４２…ＲＡＩＤコントローラ、５１…ユーザデータ領域、５２…ミラーリング情報領域、５３…共有管理情報領域、１０１…表示パネル。
【図１】
2013196124.tif 000003
【図２】
2013196124.tif 000004
【図３】
2013196124.tif 000005
【図４】
2013196124.tif 000006
【図５】
2013196124.tif 000007
【図６】
2013196124.tif 000008
【図７】
2013196124.tif 000009
【図８】
2013196124.tif 000010
【図９】
2013196124.tif 000011
【図１０】
2013196124.tif 000012
【図１１】
2013196124.tif 000013
【図１２】
2013196124.tif 000014
【図１３】
2013196124.tif 000015
【図１４】
2013196124.tif 000016
【図１５】
2013196124.tif 000017
【図１６】
2013196124.tif 000018
【図１７】
2013196124.tif 000019
【図１８】
2013196124.tif 000020
【図１９】
2013196124.tif 000021
【図２０】
2013196124.tif 000022
【図２１】
2013196124.tif 000023
【図２２】
2013196124.tif 000024
【図２３】
2013196124.tif 000025